(57)【要約】【課題】空調機の運転日の実際の気候特性に応じて空調機の設定温度をきめ細かく設定することにより省エネルギーを図ることが可能な空調機の運転方法を提供する。【解決手段】クラスタ分析法を用いて１年間の各日を外気エンタルピの類似性が強い日同士をまとめた複数のグループに類型化し、上記各グループ毎に空調機の設定温度を設定する。【選択図】図１
2009058176.tif 000002
【特許請求の範囲】
【請求項１】
クラスタ分析法を用いて１年間の各日を外気エンタルピの類似性が強い日同士をまとめた複数のグループに類型化し、前記各グループ毎に空調機の設定温度を設定することを特徴とする空調機の運転方法。
【請求項２】
前記グループ内の各日の平均日射量を用いて前記設定温度を補正することを特徴とする請求項１に記載の空調機の運転方法。
【請求項３】
１年間の各日における任意時刻の外気エンタルピまたは外気温度と前記各グループの空調機の設定温度とが関連付けられたデータベースを用い、空調機の運転日の任意時刻における外気エンタルピまたは外気温度の値を用いて前記グループの空調機の設定温度を選択することを特徴とする請求項１または２に記載の空調機の運転方法。
【請求項４】
前記空調機の運転に当たり、室内温度を指標として、空調機の給気の風量制御および冷温水の流量制御を同時に行うことにより、室内温度を空調機の設定温度に近づけることを特徴とする請求項１〜３のいずれか１項に記載の空調機の運転方法。
【発明の詳細な説明】
【技術分野】
【０００１】
本発明は、建物内の空調（冷房、暖房等）を行う空調機の運転方法に関し、さらに詳述すると、空調機の設定温度の管理を行って省エネルギーを図る空調機の運転方法に関する。
【背景技術】
【０００２】
従来、建物内の空調を行う空調機の設定温度（室内温度設定値）は、夏期および冬期の２種類に分類されて設定されているのが一般的であり、例えば夏期は２８℃、冬期は１８℃に設定されている（例えば、非特許文献１参照）。
【０００３】
【非特許文献１】建築物環境衛生管理基準
【発明の開示】
【発明が解決しようとする課題】
【０００４】
しかし、空調機の設定温度を夏期および冬期の２種類に分類して設定する方法では、空調機の運転日の実際の気候特性に適応した空調を行って省エネルギーを図ることは難しかった。
【０００５】
本発明は、前述した事情に鑑みてなされたもので、空調機の運転日の実際の気候特性に応じて空調機の設定温度をきめ細かく設定することにより省エネルギーを図ることが可能な空調機の運転方法を提供することを目的とする。
【課題を解決するための手段】
【０００６】
本発明は、前記目的を達成するため、クラスタ分析法を用いて１年間の各日を外気エンタルピの類似性が強い日同士をまとめた複数のグループに類型化し、前記各グループ毎に空調機の設定温度を設定することを特徴とする空調機の運転方法を提供する。
【０００７】
本発明では、１年間の各日の気温および湿度から各日の外気エンタルピを算出し、クラスタ分析法を用いて１年間の各日を外気エンタルピの類似性が強い日同士をまとめた複数のグループに類型化し、前記各グループ毎に空調機の設定温度を設定するので、空調機の運転日の実際の気候特性（気温および湿度）に応じて空調機の設定温度をきめ細かく設定することにより、省エネルギーを図ることができる。
【発明の効果】
【０００８】
本発明によれば、空調機の運転日の実際の気候特性に応じて空調機の設定温度をきめ細かく設定することにより省エネルギーを図ることができる。
【発明を実施するための最良の形態】
【０００９】
以下、本発明をさらに詳しく説明する。本発明において、外気エンタルピは、下記式（ａ）により算出することができる。１年間の外気エンタルピの推移の一例として、２００６年１月１日から２００６年１２月３１日までの外気エンタルピ（８時から１８時の時間帯における平均値）の推移を図１に示す。
ｈ＝ｃｐａｔ＋ｘ（ｒ０＋ｃｐｗｔ）  …（ａ）
ｔ  ：外気温度（℃）
ｘ  ：外気の絶対湿度（ｋｇ／ｋｇ（ＤＡ））
ｈ  ：外気エンタルピ（比エンタルピ）（ｋＪ／ｋｇ（ＤＡ））
ｃｐａ：乾き空気の定圧比熱（１．００６ｋＪ／ｋｇ（ＤＡ）Ｋ）
ｃｐｗ：水蒸気の定圧比熱（１．８０５ｋＪ／ｋｇ（ＤＡ）Ｋ）
ｒ０：０℃における水の蒸発潜熱（２５０１．６ｋＪ／ｋｇ）
【００１０】
本発明においては、クラスタ分析法を用いて１年間の各日を外気エンタルピの類似性が強い日同士をまとめた複数のグループに類型化する。この場合、上記クラスタ分析法としては、一般に使用されている方法を用いることができる。また、グループに類型化するに当たって使用する外気エンタルピの値としては、各日の特定の時刻における外気エンタルピの値、各日の特定の時間帯（例えば８時から１８時）における外気エンタルピの平均値、あるいは各日の１日の外気エンタルピの平均値などを使用することができる。上記グループの数に限定はないが、９〜１５個とすることが適当である。
【００１１】
本発明においては、上記各グループ毎に空調機の設定温度（後述する基本設定温度）を適宜設定する。各グループ毎の空調機の設定温度の一例を表１に示す。
【００１２】
【表１】
2009058176.tif 000003
【００１３】
本発明においては、上述した各グループ毎に適宜設定した設定温度で空調機を運転してもよいが、上記グループ内の各日の平均日射量を用いて上記設定温度を補正し、この補正した設定温度で空調機を運転することがより好ましい。これにより、日射量を反映させて、空調機の設定温度をより適切に設定することができる。この場合、上記補正を行う式に限定はないが、例えば下記式（ｂ）を挙げることができる。
α＝θ＋（６０−Ｓ）×β  …（ｂ）
α：補正後の設定温度（℃）
θ：基本設定温度＝上述した各グループ毎に適宜設定した設定温度（℃）
Ｓ：日射量の比率＝各日の平均日射量／日射量最大日の日射量×１００（％）
β：適宜設定される係数（本例では０．０３とした）
【００１４】
本発明においては、１年間の各日における任意時刻の外気エンタルピまたは外気温度と各グループの空調機の設定温度とが関連付けられたデータベースを用い、空調機の運転日の任意時刻における外気エンタルピまたは外気温度の値を用いてグループの空調機の設定温度を選択することができる。これにより、空調機の運転日の実際の気候特性に応じて空調機の設定温度を容易に選択することができる。この場合、図２に示すように、外気エンタルピと外気温度との間にはほぼ直線的な相関関係があるので、空調機の運転日の任意時刻における外気温度の値を用いてグループの空調機の設定温度を選択することができる。
【００１５】
本発明においては、空調機を運転するに当たり、室内温度を指標として、空調機の給気の風量制御および冷温水の流量制御を同時に行うことにより、室内温度を空調機の設定温度に近づけるようにすることができる。室内温度を空調機の設定温度に近づけるように空調機を運転する場合、空調機における制御対象は給気量と冷温水流量であり、給気量は給気ファンの風量、冷温水流量はバルブ開度により制御される。従来は、給気ファンの風量は給気ダクト内の静圧、バルブ開度は給気温度を指標として制御されており、別々の指標により個別に制御されていた。また、給気ダクト内の静圧を給気ファンの風量制御に用いる場合には、ＶＡＶ（可変風量ユニット）が必要である。これに対し、上述のように１つの制御量（室内温度＝空調機の設定温度と室内温度との差）を指標として、空調機の給気の風量制御および冷温水の流量制御を同時に行う場合は、従来よりもエネルギー効率を高くして、より省エネルギーを図ることができる。
【００１６】
上記のように室内温度を指標として空調機の給気の風量制御および冷温水の流量制御を同時に行う場合、例えば図３に示すように、設定温度と室内温度とが等しい場合、および設定温度と室内温度との差が小さい場合には、給気ファンの風量および冷温水流量を最小限にして省エネルギーを図り、設定温度と室内温度との差が大きくなるにしたがって給気ファンの風量および冷温水流量を徐々に大きくすることができる。
【図面の簡単な説明】
【００１７】
【図１】１年間の外気エンタルピの推移の一例を示すグラフである。
【図２】外気エンタルピと外気温度との関係の一例を示すグラフである。
【図３】室内温度を指標として空調機の給気の風量制御および冷温水の流量制御を同時に行う制御法の概念図である。
【図１】
2009058176.tif 000004
【図２】
2009058176.tif 000005
【図３】
2009058176.tif 000006